(57)【特許請求の範囲】
【請求項１】
氷を製造する製氷位置から製氷皿を一方に回転して反転させた離氷位置で氷を落下させ、その後前記製氷皿を反対方向に回転することによって前記製氷位置に戻し、逐次氷を製造する自動製氷機の駆動装置において、前記製氷皿を２基、一つの駆動源で同時に駆動するように構成し、前記製氷皿の各々が前記駆動源からの駆動力伝達側と反対側に、前記離氷位置の直前で前記製氷皿の回転がそれぞれの阻止部に当接して回転が阻止される当接部をそれぞれ備え、前記駆動源は、前記当接部が前記阻止部に当接した後も回転を持続させることにより、前記製氷皿に捩り変形を与えて前記製氷皿から氷塊を離氷させる構成で、前記阻止部として、前記駆動源を一方向に回転させると第一製氷皿の前記当接部のみが当接する位置に第一阻止部を設け、反対方向に回転させると第二製氷皿の前記当接部のみが当接する位置に第二阻止部を設け、前記第一製氷皿の前記当接部が前記第一阻止部に当接した後前記駆動源の一方向への回転を持続させることにより前記第一製氷皿に捩り変形を与えて前記第一製氷皿から氷塊を離氷させるときには、前記第二製氷皿の前記当接部と前記第二阻止部とを干渉させずに空転させ、前記第二製氷皿の前記当接部が前記第二阻止部に当接した後前記駆動源の他方向への回転を持続させることにより前記第二製氷皿に捩り変形を与えて前記第二製氷皿から氷塊を離氷させるときには、前記第一製氷皿の前記当接部と前記第一阻止部とを干渉させずに空転させて、前記２基の製氷皿に加える負荷のタイミングをずらしたことを特徴とする自動製氷機の駆動装置。
【発明の詳細な説明】
【０００１】
【発明の属する技術分野】
本発明は、冷蔵庫の製氷機に係わり、より具体的には、二つの製氷皿を同時に回転して離氷させる駆動装置に関する。
【０００２】
【従来の技術】
従来の冷蔵庫の自動製氷機で、複数の製氷皿を同時に回転させ、水平位置から反転した位置で同時に製氷皿に捩れを加えて離氷を行う機構は公知である。
【０００３】
【発明が解決しようとする課題】
ところが、複数の製氷皿を同時に捩って離氷させるのに要するトルクは、製氷皿が２枚になれば２倍となるから、出力が２倍の大型モータが必要なり、冷蔵庫という限られた空間内に収納スペースを求めることが困難となる。また、モータの駆動力を各製氷皿に伝達して回転離氷操作を行わせる歯車は２倍の強度が必要で、寸法を大きくするか、強化された特殊な材料に変えなければならない。その結果、製氷機自体が大型化し、製造コストが増大することになる。
【０００４】
そこで本発明の目的は、一つのモータで２基の製氷皿に捩れを加えて離氷させる自動製氷機において、２基の製氷皿を個別に捩ることによって各製氷皿に加える負荷のタイミングをずらした製氷機の駆動機構を提供してモータ出力を軽減することである。
【０００５】
【課題を解決するための手段】
上記の目的を達成するために、本発明に係わる自動製氷機の駆動装置は、氷を製造する製氷位置から製氷皿を一方に回転して反転させた離氷位置で氷を落下させ、その後前記製氷皿を反対方向に回転することによって前記製氷位置に戻し、逐次氷を製造する自動製氷機の駆動装置において、前記製氷皿を２基、一つの駆動源で同時に駆動するように構成し、前記製氷皿の各々が前記駆動源からの駆動力伝達側と反対側に、前記離氷位置の直前で前記製氷皿の回転がそれぞれの阻止部に当接して回転が阻止される当接部をそれぞれ備え、前記駆動源は、前記当接部が前記阻止部に当接した後も回転を持続させることにより、前記製氷皿に捩り変形を与えて前記製氷皿から氷塊を離氷させる構成で、前記阻止部として、前記駆動源を一方向に回転させると第一製氷皿の前記当接部のみが当接する位置に第一阻止部を設け、反対方向に回転させると第二製氷皿の前記当接部のみが当接する位置に第二阻止部を設け、前記第一製氷皿の前記当接部が前記第一阻止部に当接した後前記駆動源の一方向への回転を持続させることにより前記第一製氷皿に捩り変形を与えて前記第一製氷皿から氷塊を離氷させるときには、前記第二製氷皿の前記当接部と前記第二阻止部とを干渉させずに空転させ、前記第二製氷皿の前記当接部が前記第二阻止部に当接した後前記駆動源の他方向への回転を持続させることにより前記第二製氷皿に捩り変形を与えて前記第二製氷皿から氷塊を離氷させるときには、前記第一製氷皿の前記当接部と前記第一阻止部とを干渉させずに空転させて、前記２基の製氷皿に加える負荷のタイミングをずらしたことを特徴とする。
【０００６】
【発明の実施の形態】
以下に、本発明に係わる自動製氷機の駆動装置の実施の形態を図面に基づいて説明する。図１は、本発明に係わる自動製氷機の駆動装置を示す一実施例で、２基の製氷皿１０，１１を並列配置で設けた駆動装置１２の（ａ）は片側の製氷皿１０と機枠１２aを除いて示した模式的側面図、（ｂ）はその平面図である。図２は図１（ｂ）の２−２線に沿って機構の概略を図示したもので、カバー１３左側の一部を除去して内部を示す。図２右側の第一製氷皿１０を駆動する原動歯車１に噛合する第一歯車列２，３を含む構成は、製氷皿１基の場合の駆動装置と同じ機構が内蔵されている。コントローラ９で制御される内設モータが駆動する原動歯車１を共通駆動源として第一歯車列２，３と同じ構成の第二歯車列４，５を噛合させ、第二製氷皿１１を駆動する。すなわち、第一製氷皿１０および第二製氷皿１１を連結する第一、第二出力軸７，８は、完全に同期して同方向に回転する。
【０００７】
第一、第二製氷皿１０，１１の出力軸７，８と反対側に位置する自由端には、出力軸７，８と同心の円柱支軸１０a，１１aが延在し、機枠１２aに回転自在に支持されている。製氷皿１０，１１は周囲と干渉することなく反転させる運動範囲が必要で、これに要する空間は他の機構が設置できないデッドスペースとなる。製氷能力を一つの製氷皿で行うときの２倍にすることを想定したとき、製氷皿の面積を２倍にしたときに要する運動空間よりも、２基の製氷皿１０，１１を２軸にして並列配置とすることで、運動範囲は小さく設定でき、デッドスペースを削減することができる。
【０００８】
自動製氷機は、図示しない冷蔵庫製氷室内の貯氷容器上方に設置され、駆動装置１２は、製氷皿１０，１１と、貯氷容器内の貯氷量を検知するために昇降する検氷レバー１４を連動する。製氷皿１０，１１の上部には配管１５が設置され、必要に応じて水等の液体を一定量供給すようにマイコンで時間制御されている。なお製氷皿１０の下面には製氷皿の温度を検知するサーミスタ６が配設され結氷の有無を確認する。検氷レバー１４を回動させたり、内設したタクトスイッチ（ＳＷ）の開閉レバーを作動させる機械的制御機能は、図３に示すように、第一歯車列２，３の出力歯車３の後面に刻設した内接カム２０，２１による。内接カム２０，２１は製氷皿１０側から透視した図示となっている。製氷皿１０の根元と出力軸７は、出力歯車３に刻装した内接カム２０，２１と一体に回転するから、以後、回転の記載は出力軸７を主体として表記する。
【０００９】
図３に示す出力歯車３の後面に刻設されている内接カム２０，２１は検氷カム２０とＳＷカム２１であって、検氷カム２０とカム結合して検氷レバー１４を連動するフォロア２３は、矢印Ｔ方向に弾性付勢されており、出力歯車３が矢印ＣＷ方向に回転して、製氷皿１０，１１の下方に設けた、図示しない貯氷容器に氷が不足しているときは検氷領域のカム面２０b1に摺接する。ＳＷカム２１とカム結合してタクトスイッチ（ＳＷ）の開閉レバーを連動するフォロア２４は、矢印Ｓ方向に弾性付勢されて、内周面２１Aとそれより僅かに大径の拡径面２１Bの間でタクトスイッチ（ＳＷ）をＯＦＦからＯＮに切換える。貯氷量の不足でレバー１４の先端が降下し、フォロア２３が検氷領域のカム面２０b1と摺接状態にあるときは、フォロア２４は拡径面２１Bとの係合が阻止されタクトスイッチ（ＳＷ）はＯＦＦに維持される。
【００１０】
一方、出力歯車３が矢印ＣＷと反対の反時計方向ＣＣＷに回転しているときは、フォロア２３が非検氷領域カム面２０aに摺接しているときと同様に、フォロア２４がＳＷカム２１の検氷信号位置２０bに応動しないようにする。すなわち駆動装置１２は、フォロア２４が拡径面２１Bに移行させない規制をフォロア２３に行わせる別のフリクション部材によるカム機構（図示省略）を備える。機構の細部は特開平2001-165541に開示されているので、詳細な説明は省略する。
【００１１】
フォロア２４がフォロア２３の干渉を受けないとき、ＳＷカム２１は、原点（０°）から矢印ＣＷ方向に３°旋回した原信号位置２１aでフォロア２４を拡径面２１Bから内周面２１Aに移行して、タクトスイッチ（ＳＷ）をＯＮからＯＦＦに切換える。そして、原点（０°）より４３°の検氷信号４３°位置２１b1でフォロア２４を内周面２１Aから拡径面２１Bに移行し、タクトスイッチ（ＳＷ）をＯＮに切換える。その後、僅かに回動した検氷信号４７°位置２１b2でタクトスイッチ（ＳＷ）はＯＦＦに戻される。
【００１２】
さらに、原点（０°）より＋１６０°の第一離氷信号位置２１cで再びフォロア２４を内周面２１Aから拡径面２１Bに移行し、タクトスイッチ（ＳＷ）をＯＦＦからＯＮに切換える。逆に、原点（０°）から−１６０°の第二離氷信号位置２１dでは、ＯＮからＯＦＦへの切換信号となる。マイコンは、ＯＮからＯＦＦあるいはＯＦＦからＯＮへの信号の切換方向と各信号間の時間間隔とで判断して動作を処理するようにプログラムされている。これにより、１個のタクトスイッチ（ＳＷ）だけで、全ての信号に対応させることができる。
【００１３】
図４は、製氷皿１０，１１における離氷時の駆動態様を示す第一実施例で、コントローラ９により制御されている製氷皿１０に同期して製氷皿１１が連動する。最初、製氷皿１０，１１は、結氷した氷塊を搭載して水平な（ａ）の状態から共に矢印ＣＷで示すように同じ時計方向に旋回する。そして、出力軸７が（ｂ）に第一製氷皿１０を二点鎖線で示す１６０°まで旋回する前に、第一製氷皿１０の自由端に突設した当接部１６は駆動装置１２の機枠１２aに固設した第一阻止部１８に当接して回動が阻止される。
【００１４】
第二製氷皿１１は同期して回動するが、第二阻止部１９は第二製氷皿１１の自由端に突設した当接部１７の回転経路内に位置しないから、第二製氷皿１１には第二阻止部１９の干渉はなく、捩り変形を受けずに結氷した氷塊を隔壁に付着して搭載したまま１６０°まで反転する。第一製氷皿１０は、自由端の回動が１６０°の手前で阻止されたまま、根元は１６０°まで回動するので強制的に角度αの捩じれ変形が加えられ、結氷している氷塊面は、製氷皿１０の隔壁から剥離して離氷する。それから、二つの製氷皿１０，１１は同時に反時計方向ＣＣＷに反転して（ｃ）に示す水平な原点位置に復帰する。
【００１５】
次に、図４（ｃ）の水平な状態から二つの製氷皿１０，１１は、共に矢印ＣＣＷで示すように同時に反時計方向に旋回する。出力軸７は、（ｂ）の離氷動作で空になった第一製氷皿１０と共に第二製氷皿１１を連動し、同期して旋回するが、第一阻止部１８は自由端に突設した当接部１６の軌道内に位置しないから、干渉を受けることなく空転する。一方、第二製氷皿１１は結氷した氷塊を搭載したまま−１６０°まで反転する。
【００１６】
（ｄ）に二点鎖線で示す−１６０°まで旋回する前に、第二製氷皿１１の自由端に突設した当接部１７は駆動装置１２の機枠１２aに固設した第二阻止部１９に当接して回動が阻止される。第二製氷皿１１は、自由端の回動が−１６０°の手前で阻止されたまま、根元は−１６０°まで回動するので強制的に角度αの捩じれ変形が加えられ、結氷している氷塊面は製氷皿１１の隔壁から剥離して離氷する。それから、二つの製氷皿１０，１１は再び同時に時計方向ＣＷに反転して（ａ）に示す水平な原点位置に復帰する。
【００１７】
図５は、製氷皿１０，１１における離氷時の駆動態様を示す第二実施例で、第二歯車列４，５の出力歯車５の手前に回転方向を反転するアイドル歯車（図示省略）を挿入することによって、第一製氷皿１０が時計方向ＣＷに１６０°回転するとき、同時に第二製氷皿１１の回転方向を第一製氷皿１０と逆の反時計方向ＣＣＷに−１６０°回転させている。すなわち、第一製氷皿１０は、第一実施例と全く同じ動作で第二製氷皿１１を連動して同期回転するが、第二製氷皿１１の回転方向は逆になる。このため、（ａ）に図示されるように、第二製氷皿１１自由端の当接部１７-2と第二阻止部１９-2は第一実施例の第二製氷皿１１の回転軸を通る垂直軸に対し左右を逆にした対称位置に突設される。
【００１８】
従って、第一製氷皿１０の離氷は第一実施例と同様に行われるが、最初の反時計方向ＣＣＷの回転では、第二製氷皿１１は、当接部１７-2が第二阻止部１９-2から離隔する方向に旋回するので離氷は行われない。第一製氷皿１０が（ｂ）に図示されるように、第一実施例と同様に角度αの捩れ変形が加えられて離氷を行った後に、（ｃ）に示す水平位置に復帰して、次に反時計方向ＣＣＷに−１６０°空転させ、同期して連動する第二製氷皿１１を時計方向ＣＷに１６０°回転させる。
【００１９】
第一実施例と同様に第二製氷皿１１の自由端に突設した当接部１７-2は駆動装置１２の機枠１２aに固設した第二阻止部１９-2に当接して回動が阻止される。第二製氷皿１０は、自由端の回動が１６０°の手前で阻止されたまま、根元は１６０°まで回動するので強制的に角度αの捩じれ変形が加えられ、結氷している氷塊面は製氷皿１１の隔壁から剥離して離氷する。
【００２０】
それから、二つの製氷皿１０，１１は再び同時にそれぞれ時計方向ＣＷと反時計方向ＣＣＷに反転して（ａ）に示す水平な原点位置に復帰する。これにより、第二製氷皿１１の氷塊は、第一実施例の場合より内側に落下させることができる。従って、第一製氷皿１０についても、当接部１７と第一阻止部１８の位置を第一製氷皿１０の回転軸を通る垂直軸に対し左右を逆にした対称位置に突設し、両製氷皿１０，１１の氷塊を全て内側に落下させて集積する構成は容易に推測できる。
【００２１】
図６および図７は、駆動装置１２の動作状況を示すタイムチャートで、マイコンを含むコントローラ９による制御については図８にフローチャートで示す。図６は貯氷が容器に満タンのときのタイムチャートで、電源が入ると、マイコンには先ず後述する初期設定プログラムを開始する。初期設定プログラムは、自動製氷機単体での動作確認、冷蔵庫に取付けたときの動作確認、冷蔵庫を移動したとき、あるいは停電復旧時の初期動作の際等に実行するもので、製氷用水を注入する時点で製氷皿１０，１１が確実に水平位置に保持されていることを確認するものである。本実施例では、駆動モータとしてＤＣモータを使用しているため、ロータの慣性による停止位置を安定させるため、必ず反時計回転方向ＣＣＷから停止へ移行するようにプログラムされている。
【００２２】
離氷開始信号ＯＮで、マイコンはサーミスタ６により結氷の有無確認後、駆動装置１２のモータを始動し出力軸７を時計方向ＣＷに回転する。出力軸７は回転開始直後に原信号位置２１aがフォロア２４を内周面２１Aに移行してタクトスイッチ（ＳＷ）をＯＮからＯＦＦに切換える。一方、出力軸７の回転に伴って、検氷カム２０はフォロア２３との対向面が検氷領域のカム面２０b1に移行し、検氷レバー１４の先端は貯氷容器内に下降する。
【００２３】
ところが、図６に示す容器満タンのときは、検氷レバー１４は所定の位置まで下降できず、フォロア２４に対する干渉作用は機能せず、原点から４３°回転した検氷信号４３°位置２１b1でタクトスイッチ（ＳＷ）をＯＦＦからＯＮに切換える。この信号を受けたマイコンはモータを１秒間停止した後に反転させる。この反転によってフォロア２４に検氷信号４３°位置２１b1が再び作用し、タクトスイッチ（ＳＷ）をＯＮからＯＦＦに切換える。出力軸７が反時計方向ＣＣＷに回転してタクトスイッチ（ＳＷ）がＯＮの信号を発するのは原信号位置２１aである。マイコンはこの信号を受けた時点から０．３秒後にモータへの通電を停止する。モータは待機状態となり次の離氷開始信号を待つ。この出力軸７の停止位置が製氷皿１０，１１を水平に保つ原点として設定される。
【００２４】
図７は貯氷容器の貯氷量が不足しているときのタイムチャートであって、電源が入ると、マイコンには先ず後述する初期設定（イニシャライズ）プログラムを実行し、その終了後に離氷開始信号ＯＮでサーミスタ６により結氷を確認する。駆動装置１２はモータを始動し、出力軸７を時計方向ＣＷに回転する。出力軸７は回転の開始直後に原信号位置２１aがフォロア２４を内周面２１Aに移行してタクトスイッチ（ＳＷ）をＯＮからＯＦＦに切換える。一方、出力軸７の回転に伴って、検氷カム２０のフォロア２３との対向面は検氷領域のカム面２０b1に移行し、検氷レバー１４の先端は貯氷容器内に下降して回動角度が３０°を超える。
【００２５】
この動きによってフォロア２４の動きが規制され、フォロア２４はＳＷカム２０に応動しなくなる。このため、フォロア２４は検氷信号位置２１bを無視して通過し、原信号位置２１aにおける原信号発生から７秒以上経過する間に、フォロア２３は検氷カム２０の検氷領域カム面２１b2に誘導されて、非検氷領域カム面２１aに摺接し、フォロア２４の規制を解除する。従って、フォロア２４は出力軸７が１６０°回転した位置で初めて第一離氷信号位置２１cに応動してタクトスイッチ（ＳＷ）をＯＦＦからＯＮに切換える。この信号でマイコンはモータを１秒停止して第一製氷皿１０の離氷を行う。
【００２６】
その後マイコンはモータを反転させるから、タクトスイッチ（ＳＷ）は第一離氷信号位置２１cの作用でＯＦＦとなる。上記した特開平2001-165541に開示のフリクション部材によるカム機構によって、出力軸７すなわち出力歯車３が反時計方向ＣＣＷに回転するときは、フォロア２４は規制を受けないから、タクトスイッチ（ＳＷ）は先ず検氷信号４７°位置２１b2でＯＮ、検氷信号４３°位置２１b1でＯＦＦとなって、原信号位置２１aで再びＯＮとなる。この信号パターンによってマイコンは第一製氷皿１０が離氷して原点に復帰したことを認識する。次に、原信号位置２１aでＯＮとなったタクトスイッチ（ＳＷ）がＯＦＦとなるのは、出力軸７が原信号位置２１aから−１６０°反時計方向ＣＣＷに回転した第二離氷信号位置２１dが、フォロア２４を内周面２１Aに移行させたときで、マイコンはこの信号を受けると、モータを１秒間停止して第二製氷皿１１の離氷を行った後、モータを時計方向ＣＷに反転させる。
【００２７】
モータの反転によってタクトスイッチ（ＳＷ）はＯＮとなり、出力軸７は時計方向ＣＷに回転し、原信号位置２１aに至ってフォロア２４は内周面２１Aへ移行してタクトスイッチ（ＳＷ）をＯＦＦにする。マイコンはこの信号を受けて、０．３秒後にモータへの電力供給を停止する。それから、出力軸７を反時計方向ＣＣＷに回転する。この方向の回転でフォロア２４が原信号位置２１aから離隔し、マイコンはタクトスイッチを（ＳＷ）がＯＮに切換った瞬間から０．３秒後にモータへの電力供給を１秒間停止する。
【００２８】
この停止位置が原点となり、製氷皿１０，１１は確実に水平に保持される。製氷皿１０，１１が傾斜していると、結氷していない製氷用水がこぼれるので給水時に製氷皿１０，１１を水平に保持することは特に重要である。このように、必ず出力軸７を反時計方向に回転させて、タクトスイッチが（ＳＷ）ＯＮになった瞬間から０．３秒後にモータ電源を切ることによって、モータのロータや伝達歯車機構の慣性を含めた原点を確定する。原点に復帰した製氷皿１０，１１に対して製氷用水の給水と製氷が行われ、プログラムはスタート動作に戻る。
【００２９】
次に、本発明に係わる自動製氷機の駆動装置１２の初期設定プログラムについて説明する。第一製氷皿１０だけがマイコンによって制御されており、第二製氷皿１１は第一製氷皿１０に連動するだけであるから、初期化は第一製氷皿１０を原点において水平に保持することを目的として行うことになる。図９は初期化動作の状態図で、上記したように、冷蔵庫を最初に設置したとき、または移動したとき、あるいは停電のとき等、電源がＯＦＦしたときに製氷皿１０は図中▲１▼〜▲６▼のいずれかの位置で停止していると考えられる。そこで、これらの位置から電源を投入して再起動させた時点で製氷皿１０がどの位置にあっても、確実に図４または図５の（ａ）に示す水平位置（原点）に持って行かなければならない。すなわち、マイコンによる初期化プログラムによって原点復帰される製氷皿１０の移動経路を模式的に図示したものである。
【００３０】
図１０および図１１は、マイコンの原点復帰プログラムフローチャートである。電源投入時に自動製氷機の製氷皿１０がどのような位相で停止しているかを、マイコンに認識させ、自動制御により、製氷皿１０を水平に保持する原点に設置する。第一製氷皿１０を水平に保持すれば、第二製氷皿１１が水平に保持されることは自明である。以下に図９において▲１▼〜▲６▼の各位置に停止する製氷皿１０が原点に復帰する動作を図１０および図１１のフローチャートと対応させながらそれぞれについて説明する。
【００３１】
図１０は、電源投入によって時計回転ＣＷする場合の初期化プログラムに対するフローチャートである。図９において▲１▼の場合は、共に反転した状態から復帰中の製氷皿１０，１１を原点に復帰させるプログラムである。フォロア２４は、ＳＷカム２１の原点信号位置２１aと第二離氷信号位置２１dの間で拡径面２１Bのどこかにあり、タクトスイッチ（ＳＷ）はＯＮになっている。従って、電源がＯＮになると、出力軸７は時計方向ＣＷに回転し、２５秒以内で原点信号位置２１aがフォロア２４に達してタクトスイッチ（ＳＷ）をＯＦＦにする。
【００３２】
そこで、モータを１秒停止した後、一旦反時計方向ＣＣＷに１．５秒回転させてから、再び時計方向ＣＷに反転させる。フォロア２４に原点信号位置２１aが当接してタクトスイッチ（ＳＷ）がＯＦＦの信号を出した瞬間から０．３秒後にマイコンはモータへの通電を１秒間停止する。モータを１秒間の通電停止で完全に静止させてから、出力軸７の原点復帰基本動作である反時計方向ＣＣＷ回転に移る。反時計方向ＣＣＷ回転によってフォロア１４が原点信号位置２１aから完全に離間してタクトスイッチ（ＳＷ）がＯＮ信号に変わった瞬間から０．３秒後にモータの通電を停止しモータ停止位置を出力軸７の原点として確定し初期化を完了する。
【００３３】
▲２▼の場合は、検氷動作中の製氷皿１０，１１を原点に復帰させるプログラムである。フォロア２４は原点信号位置２１aと検氷信号２１bの間で内周カム２１Aのどこかにあり、タクトスイッチ（ＳＷ）はＯＦＦで、電源がＯＮになると出力軸７は時計方向ＣＷに回転する。２５秒以内でフォロア２４に検氷信号４３°位置２１b1が達してタクトスイッチ（ＳＷ）をＯＮにする。そこでこの信号を受けたマイコンはモータを１秒間停止した後、反時計方向ＣＣＷに反転させる。
【００３４】
この反転動作で検氷信号４３°位置２１b1が直ぐフォロア２４を内周面２１Aに移行してタクトスイッチ（ＳＷ）をＯＦＦにし、原点信号位置２１aでは拡径面２１Bに移行されるので、タクトスイッチ（ＳＷ）はＯＮとなる。出力軸７の原点への復帰は基本動作である反時計方向ＣＣＷ回転で行われているから、上記した▲１▼の場合と同様にタクトスイッチ（ＳＷ）がＯＮ信号に変わった瞬間から０．３秒後にモータの通電を停止しモータ停止位置を出力軸７の原点として確定し初期化を完了する。
【００３５】
▲３▼の場合は、第一製氷皿１０を捩り変形させている出力軸７を原点に復帰させるプログラムである。フォロア２４は第一離氷信号位置２１cにあって、電源がＯＮになって出力軸７は時計方向ＣＷに回転すると機械的な度当たりに規制されて回転できず２５秒間停止したままとなる。これによりマイコンはフォロア２４が第一離氷信号位置２１cにあることを判断して、モータへの通電を１秒間停止した後、モータを反時計方向ＣＣＷに反転させる。
【００３６】
この回転方向では、フォロア２４は規制を受けないので、第一離氷信号位置２１cでタクトスイッチ（ＳＷ）はＯＦＦとなり、検氷信号位置２１bでＯＮとＯＦＦの切換を経て原点信号位置２１aでＯＮ信号を発する。出力軸７の原点への復帰は基本動作である反時計方向ＣＣＷ回転で行われているから、上記した▲１▼および▲２▼の場合と同様にタクトスイッチ（ＳＷ）がＯＮ信号に変わった瞬間から０．３秒後にモータの通電を停止しモータ停止位置を出力軸７の原点として確定し初期化を完了する。
【００３７】
図１１は、電源投入によって反時計方向ＣＣＷに回転する場合の初期化プログラムに対するフローチャートである。図９において▲４▼は、第一製氷皿１０が離氷を終えて第二製氷皿１１の離氷動作に向かう途中か、満タンの検氷信号により、第一製氷皿１０が離氷を行わずに原点に復帰する途中のいずれかである。フォロア２４は原点信号位置２１aと検氷信号位置２１bの間でタクトスイッチ（ＳＷ）をＯＦＦに保ち、原点信号位置２１aでＯＮ信号を発する。しかしながら、出力軸７が反時計方向ＣＣＷに回転するときは、検氷信号４７°位置２１b2でも同様にＯＮ信号が出てしまう。
【００３８】
そこで、１．５秒間反時計回転ＣＣＷを継続してＯＮのままであれば、原点信号位置２１aによるＯＮ信号と判断し、モータの通電を１秒間停止した後、時計方向ＣＷに反転する。フォロア２４に原点信号位置２１aが当接して、タクトスイッチ（ＳＷ）がＯＦＦになった瞬間から０．３秒後にモータの通電を１秒間停止する。それから、モータを反転して反時計回転ＣＣＷで出力軸７を原点に向けて回動し、フォロア２４が原点信号位置２１aから離間してタクトスイッチ（ＳＷ）がＯＮになった瞬間から０．３秒後にモータの通電を停止しモータ停止位置を出力軸７の原点として確定し初期化を完了する。
【００３９】
▲５▼の場合は、離氷を終えて第二製氷皿１１の離氷方向に回転する途上で停止している第一製氷皿１０を原点に復帰させるプログラムである。フォロア２４は、検氷信号位置２１bと第一離氷信号位置２１cの間で内周面２１Aのどこかにあって、タクトスイッチ（ＳＷ）をＯＦＦに保っている。電源の投入で反時計方向ＣＣＷに回転する出力軸７は、２５秒以内に検氷信号４７°位置２１b2がフォロア２４を拡径面２１Bに移行してＯＮ信号を発する。
【００４０】
さらに、１．５秒以内で検氷信号４７°位置２１b1がフォロア２４を内周面２１Aに移行するので、タクトスイッチ（ＳＷ）はＯＦＦ信号を発し、マイコンに第一製氷皿１０が▲４▼の状態ではなくて▲５▼の状態であることを認識させる。出力軸７はそのまま原点復帰の基本動作である反時計方向ＣＣＷ回転を続行し、上記した▲４▼の場合と同様にタクトスイッチ（ＳＷ）がＯＮ信号に変わった瞬間から０．３秒後にモータの通電を停止しモータ停止位置を出力軸７の原点として確定し初期化を完了する。
【００４１】
▲６▼の場合は、第一および第二製氷皿１０，１１の離氷が完了している状態で、フォロア２４は第二離氷信号位置２１dを越えている。電源の投入で出力軸７は反時計方向ＣＣＷに回転し、機械的な度当たりに規制されて回転できず２５秒間停止したままとなる。これによりマイコンはフォロア２４が第二離氷信号位置２１dにあることを判断して、モータへの通電を１秒間停止した後、モータを時計方向ＣＷに反転させる。
【００４２】
フォロア２４は第二離氷信号位置２１dから離間して拡径面２１Bに摺接し、タクトスイッチ（ＳＷ）をＯＮに保って原点信号位置２１aに向かい、原点信号位置２１aに当接して内周面２１Aへの移行で、タクトスイッチ（ＳＷ）はＯＦＦ信号を発する。この瞬間から０．３秒後にモータの通電を１秒間停止してモータを静止させる。それから、出力軸７を原点復帰の基本動作である反時計方向ＣＣＷ回転でフォロア２４が原点信号位置２１aから離間して拡径面２１Bに移行し、上記した▲４▼および▲５▼の場合と同様にタクトスイッチ（ＳＷ）がＯＮ信号に変わった瞬間から０．３秒後にモータの通電を停止し、モータ停止位置を出力軸７の原点として確定し初期化を完了する。
【００４３】
上記したように、製氷皿を２軸に並列配置して同期回転させる第一実施例および第二実施例のいずれについても、駆動装置１２に内設されている駆動モータは、先ず第一製氷皿１０を時計方向ＣＷに１６０°回転させ、回転の途中で自由端に突設した当接部１６を駆動装置１２の機枠１２aに固設した第一阻止部１８で規制する。回動を阻止された自由端側に対し、駆動側は二点鎖線で示す位置まで回動するので、製氷皿１０には強制的に捩られて捩じれ変形が加わり、第一製氷皿１０内で結氷している氷塊面から製氷皿１０の隔壁を剥離して、マイコンによる時間制御で１秒間休止して氷塊の確実な落下期間経過の間に確実な離氷を行った後、反時計方向ＣＣＷの逆転を開始する。この間、第二製氷皿１１の当接部１６は第二阻止部１９から離隔する方向に旋回するので結氷した氷塊を搭載したまま空転する。
【００４４】
第一製氷皿１０の離氷後、反時計方向ＣＣＷに逆転することによって、第二製氷皿１１に設けた当接部１７が駆動装置１２の機枠１２aに固設した第二阻止部１９に当接する。回動を阻止された自由端側に対し、駆動側は二点鎖線で示す位置まで回動するので、製氷皿１１には強制的に捩られて捩じれ変形が加わり、第二製氷皿１１内で結氷している氷塊面から製氷皿１１の隔壁を剥離して、マイコンによる時間制御で１秒間休止して氷塊の確実な落下期間経過の間に確実な離氷が行われる。
【００４５】
製氷位置に対してほぼ裏返しの反転位置まで回動した製氷皿１１が氷塊を貯氷容器内に落下させる間、第一製氷皿１０の当接部１７の回転経路内で第一阻止部１８が干渉することはなく、既に離氷が完了している第一製氷皿１０は無負荷で空転する。すなわち、モータは２基の製氷皿１０，１１を回転駆動するが、離氷時に要する最大出力は一つの製氷皿に要する出力だけで十分である。
【００４６】
【発明の効果】
以上の説明で明らかなように、本発明に係わる自動製氷機の駆動装置は、請求項１に記載の記載によれば、氷を製造する製氷位置から製氷皿を一方に回転して反転させた離氷位置で氷を落下させ、その後前記製氷皿を反対方向に回転することによって前記製氷位置に戻し、逐次氷を製造する自動製氷機の駆動装置において、前記製氷皿を２基、一つの駆動源で同時に駆動するように構成し、前記製氷皿の各々が前記駆動源からの駆動力伝達側と反対側に、前記離氷位置の直前で前記製氷皿の回転がそれぞれの阻止部に当接して回転が阻止される当接部をそれぞれ備え、前記駆動源は、前記当接部が前記阻止部に当接した後も回転を持続させることにより、前記製氷皿に捩り変形を与えて前記製氷皿から氷塊を離氷させる構成で、前記阻止部として、前記駆動源を一方向に回転させると第一製氷皿の前記当接部のみが当接する位置に第一阻止部を設け、反対方向に回転させると第二製氷皿の前記当接部のみが当接する位置に第二阻止部を設け、前記第一製氷皿の前記当接部が前記第一阻止部に当接した後前記駆動源の一方向への回転を持続させることにより前記第一製氷皿に捩り変形を与えて前記第一製氷皿から氷塊を離氷させるときには、前記第二製氷皿の前記当接部と前記第二阻止部とを干渉させずに空転させ、前記第二製氷皿の前記当接部が前記第二阻止部に当接した後前記駆動源の他方向への回転を持続させることにより前記第二製氷皿に捩り変形を与えて前記第二製氷皿から氷塊を離氷させるときには、前記第一製氷皿の前記当接部と前記第一阻止部とを干渉させずに空転させて、前記２基の製氷皿に加える負荷のタイミングをずらしたので、２基の製氷皿で離氷するとき、最大負荷が加わる捩れ動作のタイミングがずれ、モータトルクと、伝達機構の強度が従来の１軸製氷機と全く同じ構成で、スペース並びにコストを抑制して従来の２倍の製氷能力が発揮できるから附加価値の増大を図ることができる。
【００４７】
また、１軸製氷機の機構をそのまま適用して１歯車列の追加だけで構成できるから、１軸と２軸に対する部品の共用が可能で２機種の製氷機を効率よく製造することができ、生産性が向上できる。さらに、１軸の機種に対して離氷に要する時間は倍増するが、高々数十秒の違いで２時間程度の製氷時間に比べると、その割合は僅かであるから製氷効率を阻害するものではない。
【図面の簡単な説明】
【図１】本発明に係わる自動製氷機の駆動装置の実施例を説明する模式図で、（ａ）は側面図、（ｂ）は平面図である。
【図２】図１（ｂ）の２−２線に沿って機構の概略を示す正面図である。
【図３】本発明に係わる自動製氷機の駆動装置の実施例におけるカム機構の平面図である。
【図４】本発明に係わる自動製氷機の駆動装置の実施例における第一駆動例の動作説明図である。
【図５】本発明に係わる自動製氷機の駆動装置の実施例における第二駆動例の動作説明図である。
【図６】本発明に係わる自動製氷機の駆動装置の実施例における貯氷満タン時のタイムチャートである。
【図７】本発明に係わる自動製氷機の駆動装置の実施例における貯氷量不足時のタイムチャートである。
【図８】本発明に係わる自動製氷機の駆動装置における実施例の装置を制御するマイコンのフローチャートである。
【図９】本発明に係わる自動製氷機の駆動装置における実施例の装置を初期化するときの動作説明図である。
【図１０】本発明に係わる自動製氷機の駆動装置における実施例の装置を時計回転により初期化するときのマイコンのフローチャートである。
【図１１】本発明に係わる自動製氷機の駆動装置における実施例の装置を反時計回転により初期化するときのマイコンのフローチャートである。
【符号の説明】
１  原動歯車
２  第一歯車列
３  第一出力歯車
４  第二歯車列
５  第二出力歯車
６  サーミスタ
７  第一出力軸
８  第二出力軸
９  コントローラ
１０  第一製氷皿
１１  第二製氷皿
１２  駆動装置
１４  検氷レバー
１６  当接部（第一製氷皿）
１７  当接部（第二製氷皿）
１８  第一阻止部
１９  第二阻止部
２０  検氷カム
２１  ＳＷカム
２３  フォロア（検氷カム）
２４  フォロア（ＳＷカム）
【図１】
0004027144.tif 000002
【図２】
0004027144.tif 000003
【図３】
0004027144.tif 000004
【図４】
0004027144.tif 000005
【図５】
0004027144.tif 000006
【図６】
0004027144.tif 000007
【図７】
0004027144.tif 000008
【図８】
0004027144.tif 000009
【図９】
0004027144.tif 000010
【図１０】
0004027144.tif 000011
【図１１】
0004027144.tif 000012